(57)【特許請求の範囲】
【請求項１】
DMT（Discrete  Multi-tone）に基づくマルチキャリア光通信システムの受信端に構成されるオンライン信号品質モニタリング装置であって、
伝送初期化段階で得られた各サブキャリアの信号対ノイズ比に基づいて、信号対ノイズ比が最大であるサブキャリアをパイロットサブキャリアと設定し、他のサブキャリアをデータサブキャリアと設定するための第一設定ユニット；
前記パイロットサブキャリアのビット割り当てとパワー割り当て、及び各データサブキャリアのビット割り当てとパワー割り当てを確定するための確定ユニット；
各データサブキャリアのビット割り当てに基づいて、各データサブキャリアのために、データ判定に基づく信号対ノイズ比測定の閾値を設定するための第二設定ユニット；及び
伝送段階でデータ判定に基づく信号対ノイズ比測定により得られた各データサブキャリアの信号対ノイズ比と、各データサブキャリアの信号対ノイズ比測定の閾値とを比較し、あるデータサブキャリアの信号対ノイズ比がその信号対ノイズ比測定の閾値よりも小さい時に、該データサブキャリアに対してのパイロットに基づく信号対ノイズ比測定を起動するための処理ユニットを含む、装置。
【請求項２】
請求項1に記載の装置であって、
前記確定ユニットは、
システムのプリセット（presetting）に基づいて、前記パイロットサブキャリアのビット割り当て及びパワー割り当てを確定するための第一確定モジュール；及び
各データサブキャリアの信号対ノイズ比に基づいて、各データサブキャリアのために、対応するビット割り当て及びパワー割り当てを計算するための計算モジュールを含む、装置。
【請求項３】
請求項1に記載の装置であって、
前記第二設定ユニットは、
シミュレーションにより、異なるデータ変調ビットの、システムモデルノイズ下でデータ判定に基づく測定により得られた信号対ノイズ比と、実際の信号対ノイズ比との間の関係を得るための第二確定モジュール；及び
各データ変調ビット上で実際値との差が所定量である測定値を、該データ変調ビットに対応するデータ判定に基づく信号対ノイズ比測定の閾値とするための設定モジュール；及び
各データサブキャリアのビット割り当てに基づいて、各データサブキャリアのデータ判定に基づく信号対ノイズ比測定の閾値を確定するための第三確定モジュールを含む、装置。
【請求項４】
請求項3に記載の装置であって、
前記測定により得られた信号対ノイズ比は、実際の信号対ノイズ比に基づいてデータ変調星座上でノイズ特性に符合するノイズを加え、ノイズ付きデータに対してデータ判定に基づく信号対ノイズ比測定を行うことにより得られた測定値である、装置。
【請求項５】
請求項1に記載の装置であって、
前記処理ユニットは、
送信端の送信機に、前記データサブキャリアに対してのパイロットに基づく信号対ノイズ比測定の要求を送信するための送信モジュール；
前記送信機と同期化を行うための同期化モジュール；及び
前記パイロットサブキャリア上でデータを受信し、前記データサブキャリア上でトレーニングシーケンスを受信し、前記トレーニングシーケンスに基づいて前記データサブキャリアの信号対ノイズ比を測定するための受信モジュールを含み、
前記送信モジュールは、前記受信モジュールの測定が完了した後に、前記送信機に通知メッセージを送信して、前記送信機に、前記データサブキャリアに対してのパイロットに基づく信号対ノイズ比測定から退出するように通知する、装置。
【請求項６】
DMT（Discrete  Multi-tone）に基づくマルチキャリア光通信システムの送信端に構成されるオンライン信号品質モニタリング装置であって、
伝送初期化段階で送信機が各サブキャリア上でトレーニングシーケンスを送信するように制御するための制御ユニット；
各サブキャリアのビット割り当てとパワー割り当て、及びパイロットサブキャリアの位置を取得し、各サブキャリアに対して構成を行い、伝送待ちデータ又はトレーニングシーケンスを、対応するサブキャリアにマッピングするための構成ユニット；及び
前記送信機が、あるデータサブキャリアに対してのパイロットに基づく信号対ノイズ比測定の要求を受信した場合、前記データサブキャリアとパイロットサブキャリアのパワー割り当て及びビット割り当てを交換し、前記データサブキャリアのデータマッピング関係を前記パイロットサブキャリアに調整し、前記パイロットサブキャリアのトレーニングシーケンスのマッピング関係を前記データサブキャリアに調整し、また、受信端の受信機と同期化を行うための第一処理ユニットを含む、装置。
【請求項７】
請求項6に記載の装置であって、
第二処理ユニットをさらに含み、
前記第二処理ユニットは、前記送信機が、前記データサブキャリアに対しての測定完了の通知メッセージを受信した後に、前記データサブキャリアとパイロットサブキャリアのパワー割り当て及びビット割り当てを復元し、前記データサブキャリアのデータマッピング関係を前記データサブキャリアに復元し、前記パイロットサブキャリアのトレーニングシーケンスのマッピング関係を前記パイロットサブキャリアに復元し、また、受信端の受信機と同期化を行う、装置。
【請求項８】
請求項7に記載の装置であって、
前記第一処理ユニット及び前記第二処理ユニットは、受信端の受信機と同期化を行う時に、前記受信機と交換時刻を約束し、前記交換時刻において交換操作を行う、装置。
【請求項９】
送信機及び受信機を含むDMT（Discrete  Multi-tone）に基づくマルチキャリア光通信システムであって、
送信端制御器及び受信端制御器をさらに含み、
前記受信端制御器は、
伝送初期化段階で得られた各サブキャリアの信号対ノイズ比に基づいて、信号対ノイズ比が最大であるサブキャリアをパイロットサブキャリアと設定し、他のサブキャリアをデータサブキャリアと設定し；
前記パイロットサブキャリアのビット割り当てとパワー割り当て、及び各データサブキャリアのビット割り当てとパワー割り当てを確定し；
各データサブキャリアのビット割り当てに基づいて、各データサブキャリアのために、データ判定に基づく信号対ノイズ比測定の閾値を設定し；及び
伝送段階でデータ判定に基づく信号対ノイズ比測定より得られた各データサブキャリアの信号対ノイズ比と、各データサブキャリアの信号対ノイズ比測定の閾値とを比較し、あるデータサブキャリアの信号対ノイズ比がその信号対ノイズ比測定の閾値よりも小さい時に、該データサブキャリアに対してのパイロットに基づく信号対ノイズ比測定を起動するように構成され、
前記送信端制御器は、
伝送初期化段階で前記送信機が各サブキャリア上でトレーニングシーケンスを送信するように制御し；
各サブキャリアのビット割り当てとパワー割り当て、及びパイロットサブキャリアの位置を取得し、各サブキャリアに対して構成を行い、伝送待ちデータ又はトレーニングシーケンスを、対応するサブキャリアにマッピングし；及び
前記送信機が、あるデータサブキャリアに対してのパイロットに基づく信号対ノイズ比測定の要求を受信した場合、前記データサブキャリアとパイロットサブキャリアのパワー割れあて及びビット割り当てを交換し、前記データサブキャリアのデータマッピング関係を前記パイロットサブキャリアに調整し、前記パイロットサブキャリアのトレーニングシーケンスのマッピング関係を前記データサブキャリアに調整し、また、受信端の受信機と同期化を行うように構成される、マルチキャリア光通信システム。
【発明の詳細な説明】
【技術分野】
【０００１】
本発明は、通信技術分野に関し、特に、オンライン信号品質モニタリング方法、装置及びシステムに関する。
【背景技術】
【０００２】
DMT（Discrete  Multi-tone、DMT）に基づくマルチキャリア光通信システムは、伝送レートが高く、ハードウェア構造が簡単であり、パワー消耗が低いなどの利点があるため、次世代の短距離光通信の主な競争技術と見なされている。データセンター内の大型コンピュータの相互接続は、DMTに基づくマルチキャリア光通信システムの第一候補応用シナリオである。DMT技術は、既に無線通信及びアクセスネットワークに幅広く応用されている。しかし、データセンターのシナリオは、伝送パフォーマンスの安定性を高く要求している。絶えない安定な伝送パフォーマンスを保証するために、伝送プロセスにおいて各キャリアの信号品質に対してリアルタイムでモニタリングを行い、モニタリングの結果に基づいてそれ相応の調整を行う必要がある。信号品質のモニタリングは、各サブキャリアの信号対ノイズ比（SNR）を測定することにより実現される。また、従来技術では、信号対ノイズ比への測定は、パイロットによる測定及びデータ判定による測定という２つの種類に分けられる。両者の計算方法は、それぞれ、次の式1及び式2により表すことができる。
【数１】
0006798386.tif 000002
（1）
【数２】
0006798386.tif 000003
（2）
【０００３】
上述の２つの式の中で、Srxは、受信機が受信した信号である。式1と式2を比較すれば分かるように、両者の相違点は、ノイズ計算時に、既知の送信信号（Stx）に基づくか、それとも、送信信号に対しての判定推定
（外１）
0006798386.tif 000004
に基づくかにある。
【０００４】
パイロットに基づく信号対ノイズ比の測定は、送信機が送信データに受信機の既知の信号を挿入することを要する。受信機は、式1に従って信号対ノイズ比を計算する。Stxが既知の信号であるため、パイロットに基づく信号対ノイズ比の測定は、正確な結果を提供することができる。しかし、パイロットがデータ伝送のバンド幅を占用し、データ伝送品質に影響を与えるので、パイロット信号の插入は、頻繁に行うことができず、一般的に認可されている比率は、約1%〜5%である。言い換えると、パイロットに基づく信号品質モニタリングは、1%〜5%のみの時間サンプリング結果しか提供することができず、時間上で連続したリアルタイムのオンラインモニタリングを提供することができない。
【０００５】
また、データ判定に基づく信号品質モニタリングは、直接的に、受信したデータ情報に対して判定を行うことで送信信号を推定し、これにより、連続したオンラインモニタリングを提供することができる。しかし、データ判定時に誤りが存在する可能性があるため、データ判定に基づく信号品質モニタリングは、正確な測定結果を提供することができない。また、このような問題は、変調フォーマットが比較的高く又はノイズが比較的大きい時により明らかである。
【発明の概要】
【発明が解決しようとする課題】
【０００６】
本発明は、DMTに基づくマルチキャリア光通信システムに基づくものであり、時間上で連続したオンラインモニタリングを提供することができるのみならず、モニタリング結果の正確性を保証することもできるオンライン信号品質モニタリング方法、装置及びシステムを提供することを課題とする。
【課題を解決するための手段】
【０００７】
本発明の実施例の第一側面によれば、オンライン信号品質モニタリング装置が提供され、それは、DMTに基づくマルチキャリア光通信システムの受信端に構成され、そのうち、該装置は、
伝送初期化段階で得られた各サブキャリアの信号対ノイズ比に基づいて、信号対ノイズ比が最大であるサブキャリアをパイロットサブキャリアと設定し、他のサブキャリアをデータサブキャリアと設定するための第一設定ユニット；
前記パイロットサブキャリアのビット割り当てとパワー割り当て、及び各データサブキャリアのビット割り当てとパワー割り当てを確定するための確定ユニット；
各データサブキャリアのビット割り当てに基づいて、各データサブキャリアのために、データ判定に基づく信号対ノイズ比測定の閾値を設定するための第二設定ユニット；及び
伝送段階でデータ判定に基づく信号対ノイズ比測定により得られた各データサブキャリアの信号対ノイズ比と、各データサブキャリアの信号対ノイズ比測定の閾値とを比較し、あるデータサブキャリアの信号対ノイズ比がその信号対ノイズ比測定の閾値よりも小さい時に、前記データサブキャリアに対してのパイロットに基づく信号対ノイズ比測定を起動するための処理ユニットを含む。
【０００８】
本発明の実施例の第二側面によれば、オンライン信号品質モニタリング装置が提供され、それは、DMTに基づくマルチキャリア光通信システムの送信端に構成され、そのうち、該装置は、
伝送初期化段階で、制御送信機が各サブキャリア上でトレーニングシーケンスを送信するように制御するための制御ユニット；
各サブキャリアのビット割り当てとパワー割り当て、及びパイロットサブキャリアの位置を取得し、各サブキャリアに対して構成を行い、送信機が伝送待ちデータ又はトレーニングシーケンスを、対応するサブキャリアにマッピングするように制御するための構成ユニット；及び
前記送信機が、あるデータサブキャリアに対してのパイロットに基づく信号対ノイズ比測定の要求を受信した場合、前記送信機が、前記データサブキャリアとパイロットサブキャリアのパワー割り当て及びビット割り当てを交換し、前記データサブキャリアのデータマッピング関係を前記パイロットサブキャリアに調整し、前記パイロットサブキャリアのトレーニングシーケンスのマッピング関係を前記データサブキャリアに調整し、また、受信端の受信機と同期化するように制御する第一処理ユニットを含む。
【０００９】
本発明の実施例の第三側面によれば、受信端制御器が提供され、そのうち、該受信端制御器は、前述の第一側面に記載の前記装置を含む。
【００１０】
本発明の実施例の第四側面によれば、送信端制御器が提供され、そのうち、該送信端制御器は、前述の第二側面に記載の前記装置を含む。
【００１１】
本発明の実施例の第五側面によれば、受信機が提供され、そのうち、前記受信機は、前述の第三側面に記載の前記受信端制御器を含む。
【００１２】
本発明の実施例の第六側面によれば、送信機が提供され、そのうち、前記送信機は、前述の第四側面に記載の前記送信端制御器を含む。
【００１３】
本発明の実施例の第七側面によれば、DMTに基づくマルチキャリア光通信システムが提供され、それは、送信機及び受信機を含み、そのうち、該システムは、さらに、前述の第三側面に記載の前記受信端制御器及び前述の第四側面に記載の前記送信端制御器を含む。
【００１４】
本発明の実施例の第八側面によれば、オンライン信号品質モニタリング方法が提供され、それは、DMTに基づくマルチキャリア光通信システムの受信端に用いられ、そのうち、該方法は、
伝送初期化段階で得られた各サブキャリアの信号対ノイズ比に基づいて、信号対ノイズ比が最大であるサブキャリアをパイロットサブキャリアと設定し、他のサブキャリアをデータサブキャリアと設定し；
前記パイロットサブキャリアのビット割り当てとパワー割り当て、及び各データサブキャリアのビット割り当てとパワー割り当てを確定し；
各データサブキャリアのビット割り当てに基づいて、各データサブキャリアのために、データ判定に基づく信号対ノイズ比測定の閾値を設定し；及び
伝送段階でデータ判定に基づく信号対ノイズ比測定により得られた各データサブキャリアの信号対ノイズ比と、各データサブキャリアの信号対ノイズ比測定の閾値とを比較し、あるデータサブキャリアの信号対ノイズ比がその信号対ノイズ比測定の閾値よりも小さい時に、前記データサブキャリアに対してのパイロットに基づく信号対ノイズ比測定を起動することを含む。
【００１５】
本発明の実施例の第九側面によれば、オンライン信号品質モニタリング方法が提供され、それは、DMTに基づくマルチキャリア光通信システムの送信端に用いられ、そのうち、該方法は、
送信機が伝送初期化段階で各サブキャリア上でトレーニングシーケンスを送信し；
各サブキャリアのビット割り当てとパワー割り当て、及びパイロットサブキャリアの位置を取得し、各サブキャリアに対して構成を行い、伝送待ちデータ又はトレーニングシーケンスを、対応するサブキャリアにマッピングし；及び
前記送信機が、あるデータサブキャリアに対してのパイロットに基づく信号対ノイズ比測定の要求を受信した場合、前記データサブキャリアとパイロットサブキャリアのパワー割り当てとビット割り当てを交換し、前記データサブキャリアのデータマッピング関係を前記パイロットサブキャリアに調整し、前記パイロットサブキャリアのトレーニングシーケンスのマッピング関係を前記データサブキャリアに調整し、また、受信端の受信機と同期化することを含む。
【００１６】
本発明の有益な効果は、本発明の実施例により、時間上で連続したオンライン信号品質モニタリングを提供することができるのみならず、モニタリング結果の正確性を保証することもでき、これにより、できるだけ少ないパイロットリソースを用いてリアルタイムのオンライン信号品質モニタリングを実現することができる。
【図面の簡単な説明】
【００１７】
【図１】マルチポートのDMT光伝送システムを示す図である。
【図２】DMT制御器の内部構造を示す図である。
【図３】実施例1におけるオンライン信号品質モニタリング方法を示す図である。
【図４】伝送初期化段階で得られた信号対ノイズ比（SNR）及びパイロットサブキャリアの設定を示す図である。
【図５】伝送初期化段階で取得されうるSNR及びパイロットサブキャリアの設定に基づいて計算されたサブキャリアのビット割り当てを示す図である。
【図６】閾値を設定する一実施方式のフローチャートである。
【図７】一実施方式における実際のSNRと測定のSNRとの関係を示す図である。
【図８】データサブキャリアに対してのパイロットに基づく信号対ノイズ比測定を起動する一実施方式のフローチャートである。
【図９】受信端で実施されるオンライン信号品質モニタリングのフローチャートである。
【図１０】実施例2におけるオンライン信号品質モニタリング方法を示す図である。
【図１１】送信端で実施されるオンライン信号品質モニタリングのフローチャートである。
【図１２】実施例3におけるオンライン信号品質モニタリング装置を示す図である。
【図１３】図12における確定ユニットを示す図である。
【図１４】図12における第二設定ユニットを示す図である。
【図１５】図12における処理ユニットを示す図である。
【図１６】実施例4における制御器を示す図である。
【図１７】実施例5におけるオンライン信号品質モニタリング装置を示す図である。
【図１８】実施例6における制御器を示す図である。
【発明を実施するための形態】
【００１８】
以下、添付した図面を参照しながら、本発明を実施するための好適な形態を詳細に説明する。
【００１９】
本発明の実施例は、オンライン信号品質モニタリング方法を提供する。該方法は、時間上で連続したオンライン信号品質モニタリングを提供することができるだけでなく、モニタリング結果の正確性を保証することもできる。本発明の実施例のコアは、パイロットモニタリングリソースをリザーブ（reserve）し、各サブキャリアの信号対ノイズ比測定の閾値を設定し、データ判定に基づく信号対ノイズ比測定方法で同時に各データサブキャリアをモニタリングすることで、時間上で連続したオンラインモニタリングを実現すると共に、あるサブキャリアの信号対ノイズ比がその対応する閾値よりも小さい時に、送信機及び受信機を協調し、該サブキャリアに対してパイロットに基づく信号対ノイズ比測定を行うことで、モニタリング結果の正確性を保証することである。
【００２０】
図1は、マルチポートのDMT光伝送システムを示す図である。その代表的な応用シナリオは、データセンター内の大型コンピュータの超高速相互接続である。図1に示すように、本発明の実施例では、各DMT送信機101は、１つの送信端DMT制御器103をシェアし、各DMT受信機102は、１つの受信端DMT制御器104をシェアし、送信端DMT制御器103及び受信端DMT制御器104は、リンク制御チャネル105により情報を交換し、また、各送信機及び受信機が協同でワーキングするように制御する。
【００２１】
図2は、DMT制御器103、104の内部構造を示す図である。図2に示すように、該DMT制御器103、104は、DMT機能制御モジュール201及びDMTリンクモニタリングモジュール202を含み、該DMT機能制御モジュール201は、主に、リンク制御チャネルから制御情報を抽出し、制御情報に基づいて各送信機及び受信機に対して構成を行うことを担当し、構成される内容は、DMTサブキャリア上のビット割り当てとパワー割り当て、パイロットサブキャリアの設定などを含むが、これに限定されない。DMTリンクモニタリングモジュール202は、各サブキャリア上の信号品質、伝送チャネルの振幅周波数及び位相周波数特性などを含む各リンクの変化をモニタリングすることを担当する。
【００２２】
本発明の実施例は、受信端DMT制御器104及び送信端DMT制御器103が協同でワーキングし、リアルタイムでオンラインモニタリングされたサブキャリアの信号対ノイズ比に基づいて、リザーブされているパイロットリソースの使用を調整することにより、とても少ないパイロットリソースを用いて、リアルタイムのモニタリングを実現すると同時にモニタリングの正確度を保証することができる。
【実施例１】
【００２３】
本実施例は、オンライン信号品質モニタリング方法を提供する。該方法は、DMTに基づくマルチキャリア光通信システムの受信端、例えば、図1に示すDMT受信機102及び受信端DMT制御器104に応用される。図3は、該方法を示す図である。図3に示すように、該方法は、次のようなステップを含む。
【００２４】
ステップ301：伝送初期化段階で得られた各サブキャリアの信号対ノイズ比に基づいて、信号対ノイズ比が最大であるサブキャリアをパイロットサブキャリアと設定し、他のサブキャリアをデータサブキャリアと設定し；
ステップ302：前記パイロットサブキャリアのビット割り当てとパワー割り当て、及び各データサブキャリアのビット割り当てとパワー割り当てを確定し；
ステップ303：各データサブキャリアのビット割り当てに基づいて、各データサブキャリアのために、データ判定に基づく信号対ノイズ比測定の閾値を設定し；
ステップ304：伝送段階でデータ判定に基づく信号対ノイズ比測定により得られた各データサブキャリアの信号対ノイズ比と、各データサブキャリアの信号対ノイズ比測定の閾値とを比較し、あるデータサブキャリアの信号対ノイズ比がその信号対ノイズ比測定の閾値よりも小さい時に、前記データサブキャリアに対してのパイロットに基づく信号対ノイズ比測定を起動する。
【００２５】
ステップ301では、伝送初期化段階で得られた各サブキャリアの信号対ノイズ比は、従来のDMTチャネル探測プロセスにより取得されても良い。例えば、DMT送信機は、各サブキャリア上でトレーニングシーケンスを送信し、DMT受信機は、既知の送信信号（該トレーニングシーケンス）に基づいて、信号対ノイズ比測定（式1）を行い、各サブキャリアの正確な信号対ノイズ比を得ることができる。本実施例では、該プロセスは、DMT受信機中で完成することができる。
【００２６】
ステップ301では、各サブキャリアの正確な信号対ノイズ比を得ると、信号対ノイズ比が最大であるサブキャリアを、オンラインモニタリングを行うためのパイロットサブキャリアと設定し、オンラインモニタリングパイロットと称しても良く、他のサブキャリアをデータサブキャリアと設定することができる。本実施例では、該プロセスは、上述の受信端DMT制御器104中で完成することができる。例えば、DMT受信機が上述のチャネル探測を行った後に、該DMT受信機は、測得された各サブキャリアの正確な信号対ノイズ比を受信端DMT制御器104に報告し、これにより、該受信端DMT制御器104のDMTリンクモニタリングモジュール202は、信号対ノイズ比が最大であるサブキャリアをパイロットサブキャリアと設定し、他のサブキャリアをデータサブキャリアと設定することができる。
【００２７】
ステップ302では、各サブキャリアの設定に基づいて、各サブキャリアのビット割り当てとパワー割り当てを確定することができる。該パイロットサブキャリアのビット割り当てとパワー割り当ては、システムのプリセット（presetting）に基づいて確定されても良い。該データサブキャリアの比割り当て特及びパワー割り当ては、各データサブキャリアの信号対ノイズ比に基づいて確定されても良く、例えば、各データサブキャリアの信号対ノイズ比に基づいて、各データサブキャリアのために、それ相応のビット割り当てとパワー割り当てを計算しても良い。一実施例として、該プロセスは、上述の受信端DMT制御器104中で完成することができる。例えば、該DMT制御器104の上述のDMTリンクモニタリングモジュール202は、上述のサブキャリアの設定を該受信端DMT制御器104のDMT機能制御モジュール201に報告し、これにより、該DMT機能制御モジュール201は、各データサブキャリアの信号対ノイズ比に基づいて、各データサブキャリアのために、それ相応のビット割り当てとパワー割り当てを計算しても良いが、本実施例は、計算方法について限定しない。パイロットサブキャリアのビット割り当てとパワー割り当ては、システムのプリセット（presetting）を使用しても良い。計算後に、該DMT機能制御モジュール201は、さらに、計算結果をDMTリンクモニタリングモジュール202にフィードバックすることもできる。また、該DMT機能制御モジュール201は、さらに、パイロットとデータサブキャリアの設定、及び各データサブキャリアのビット割り当てとパワー割り当てに基づいて、DMT送信機及びDMT受信機に対して設定を行い、データ伝送を開始することもできる。
【００２８】
図4は、伝送初期化段階で得られた信号対ノイズ比（SNR）及びパイロットサブキャリアの設定を示す図である。図4に示すように、SNRが最大であるサブキャリアがパイロットサブキャリア（オンラインSNRモニタリングのためのパイロット）と設定される。図5は、伝送初期化段階で取得されうるSNR及びパイロットサブキャリアの設定に基づいて計算されたサブキャリアのビット割り当てを示す図である。図5に示すように、パイロットサブキャリア上でデータを送信せず、他のサブキャリア上でデータを送信する。
【００２９】
ステップ303では、各データサブキャリアのビット割り当てを得た後に、各データサブキャリアのビット割り当てに基づいて、各データサブキャリアのために、データ判定に基づく信号対ノイズ比測定の閾値を設定しても良い。閾値設定の根拠は、データ判定に基づく信号対ノイズ比測定方法の誤差である。データ判定に基づく信号対ノイズ比測定方法の誤差は、データ変調、実際の信号対ノイズ比、及びノイズの特性という３つの要素に関する。
【００３０】
図6は、閾値を設定する一実施方式のフローチャートである。図6に示すように、該プロセスは、次のようなステップを含む。
【００３１】
ステップ601：シミュレーションにより、異なるデータ変調ビットの、システムモデルノイズ下で測得された信号対ノイズ比と、実際の信号対ノイズ比との間の関係を取得し；
ステップ602：各データ変調ビット上で実際値との差が所定量である測定値を前記データ変調ビットに対応するデータ判定に基づく信号対ノイズ比測定の閾値とし；
ステップ603：各データサブキャリアのビット割り当てに基づいて、各データサブキャリアの、データ判定に基づく信号対ノイズ比測定の閾値を確定する。
【００３２】
ステップ601では、上述の測定とは、データ判定に基づく測定を指す。一実施方式では、該測得された信号対ノイズ比は、実際の信号対ノイズ比に基づいてデータ変調星座（コンステレーション）上でノイズ特性に符合するノイズを加え、ノイズ付きデータに対してデータ判定に基づく信号対ノイズ比測定を行うことにより得られた測定値である。
【００３３】
図7は、伝送システムのノイズを加法ガウスホワイトノイズと仮定するシナリオ下の一実施例である。それは、異なるデータ変調の、加法ガウスホワイトノイズの仮定下で測得された信号対ノイズ比と、実際の信号対ノイズ比との間の関係を示している。前述のように、このような関係は、シミュレーションにより得られても良く、例えば、実際の信号対ノイズ比に基づいてデータ変調星座上でノイズ特性に符合するノイズを加え、式2を用いてノイズ付きデータに対してデータ判定に基づく信号対ノイズ比測定を行うことにより測定値を取得し、これにより、測定の信号対ノイズ比（測定値）と、実際の信号対ノイズ比（実際値）との間の関係を得ることができる。
【００３４】
ステップ602では、図7に示す測定値と実際値との間の関係に基づいて、上述の信号対ノイズ比測定の閾値を設定することができる。一実施例として、各データ変調ビット上で実際値との差が0.2dBである測定値を該データ変調に対応する閾値と設定しても良く、これにより、以下の表1に示すような、異なるデータ変調に対応する信号対ノイズ比測定の閾値を得ることができる。言い換えると、あるデータ変調について言えば、データ判定に基づく信号対ノイズ比測定により得られた信号対ノイズ比（測定値）が表中のその対応する閾値よりも小さい時に、測定の誤差は、0.2dBよりも大きい。
【表１】
0006798386.tif 000005
【００３５】
ステップ603では、表1中のビット割り当てと信号対ノイズ比測定の閾値との間の関係を得ると、各データサブキャリアのビット割り当てに基づいて、各データサブキャリアのデータ判定に基づく信号対ノイズ比測定の閾値を確定することができる。
【００３６】
図6に示す信号対ノイズ比測定の閾値の設定方法は、例示に過ぎず、他の任意の実施可能な、データ判定に基づく信号対ノイズ比測定方法の誤差に基づく、データ判定に基づく信号対ノイズ比測定の閾値の設定方法も、本発明の技術的範囲に属する。
【００３７】
本実施例では、伝送開始後に、DMT受信機は、すべてのデータサブキャリアに対してデータ判定に基づく信号対ノイズ比測定を行い、リアルタイムで伝送信号の品質をモニタリングすることができる。
【００３８】
ステップ304では、伝送段階でデータ判定に基づく信号対ノイズ比測定により得られた各データサブキャリアの信号対ノイズ比と、各データサブキャリアの信号対ノイズ比測定の閾値とを比較し、あるデータサブキャリアの測得された信号対ノイズ比がその信号対ノイズ比測定の閾値よりも低い時に、該データサブキャリアに対してのパイロットに基づく信号対ノイズ比測定を起動することができる。該プロセスは、受信端DMT制御器104により完成することができる。例えば、受信端DMT制御器104中のDMTリンクモニタリングモジュール202は、DMT受信機から、測得された各データサブキャリアの信号対ノイズ比を読み取り、そして、読み取った各データサブキャリアの信号対ノイズ比と、設定されている閾値とを比較し、あるデータサブキャリア上で読み取った信号対ノイズ比がその対応する閾値よりも小さい場合、該データサブキャリアについて言えば、データ判定に基づく信号対ノイズ比測定により正確な信号品質モニタリングを提供することがもうできないことを意味し、これにより、該DMTリンクモニタリングモジュール202は、DMT機能制御モジュール201をトリガーして、相手側のDMT送信機に、該データサブキャリアに対してパイロットに基づく信号対ノイズ比測定を起動するように通知することができる。該通知は、前述のリンク制御チャネル105により送信されても良い。
【００３９】
図8は、データサブキャリアに対してのパイロットに基づく信号対ノイズ比測定を起動する一実施方式のフローチャートである。図8に示すように、該プロセスは、次のようなステップを含む。
【００４０】
ステップ801：送信端の送信機に、前記データサブキャリアに対してのパイロットに基づく信号対ノイズ比測定の要求を送信し；
ステップ802：前記送信機と同期化した後に、前記パイロットサブキャリア上でデータを受信し、前記データサブキャリア上でトレーニングシーケンスを受信し、前記トレーニングシーケンスに基づいて、前記データサブキャリアの信号対ノイズ比を測定し；
ステップ803：測定後に、前記送信機に通知メッセージを送信することにより、前記送信機に、前記データサブキャリアに対してのパイロットに基づく信号対ノイズ比測定から退出するように通知する。
【００４１】
ステップ801では、受信端DMT制御器104のDMT機能制御モジュール201により、前述のリンク制御チャネル105にて送信端DMT制御器103に上述の要求を送信することができる。送信端DMT制御器103は、上述の要求に基づいて、送信端のDMT送信機101に、それ相応の操作を行うように通知することができる。DMT送信機101は、このような通知を受信した後に、交換操作を行うように準備し、該データサブキャリア上のデータと、パイロットサブキャリア上のトレーニングシーケンスを交換し、これにより、データ伝送の連続性を確保することができる。なお、DMT送信機101の具体的な処理プロセスについては、後述する。
【００４２】
ステップ802では、DMT受信機102とDMT送信機101の交換操作が同期化し、パイロットサブキャリアの位置からデータを受信し、該データサブキャリアの位置からトレーニングシーケンスを受信し、式1に基づいて該データサブキャリアに対してパイロット（該既知のトレーニングシーケンス）に基づく信号対ノイズ比測定を行う。
【００４３】
ステップ803では、ステップ802の測定後に、該受信端DMT制御器104は、さらに、DMT送信機101に、該データサブキャリアに対してのパイロットに基づく信号対ノイズ比測定から退出するように通知することで、パイロットリソースをリリースすることができる。
【００４４】
図9は、DMT光伝送システムの受信端で実施されるオンライン信号品質モニタリングのフローチャートである。該プロセスにより、本実施例における方法の実施プロセスがより明らかになるが、該フローチャートは、本発明を制限しない。図9に示すように、該プロセスは、次のようなステップを含む。
【００４５】
ステップ900：探測段階ですべてのサブキャリアの正確な信号対ノイズ比（SNR）を取得し；
ステップ901：SNRが最大であるサブキャリアをパイロットサブキャリアと設定し、他のサブキャリアをデータサブキャリアと設定し；
ステップ902：DMT機能制御モジュールに、SNRs及びサブキャリアの設定を報告し、ビット割り当てとパワー割り当てを取得し；
ステップ903：ビット割り当てに基づいて、各データサブキャリアのために、モニタリングの閾値を設定し；
ステップ904：各サブキャリアのSNRを収集し；
ステップ905：あるデータサブキャリアのSNRがその対応する閾値よりも大きいかを判断し、はいの場合、ステップ906を実行し、いいえの場合、ステップ904に戻り；
ステップ906：DMT機能制御モジュールをトリガーして、DMT送信機に、該データサブキャリアに対してパイロットに基づくSNRモニタリングモードを行うように通知し；
ステップ907：送信機と同期化し；
ステップ908：パイロットに基づくSNRモニタリングモード下で該データサブキャリア上のSNRを収集し；
ステップ909：DMT機能制御モジュールをトリガーして、DMT送信機に、該データサブキャリアに対してのパイロットに基づくSNRモニタリングモードから退出するように通知し；
ステップ910：送信機と同期化する。
【００４６】
本実施例における方法により、時間上で連続したオンライン信号品質モニタリングを提供することができるだけでなく、モニタリング結果の正確性を保証することもでき、これにより、できるだけ少ないパイロットリソースを用いてリアルタイムのオンライン信号品質モニタリングを実現することができる。
【実施例２】
【００４７】
本実施例は、オンライン信号品質モニタリング方法を提供する。該方法は、DMTに基づくマルチキャリア光通信システムの送信端、例えば、図1に示すDMT送信機101及び送信端DMT制御器103に応用される。該方法は、実施例1における方法に対応する送信端の処理であり、ここで、実施例1と同じ内容の重複説明は、省略される。図10は、該方法を示す図である。図10に示すように、該方法は、次のようなステップを含む。
【００４８】
ステップ1001：送信機が伝送初期化段階で各サブキャリア上でトレーニングシーケンスを送信し；
ステップ1002：各サブキャリアのビット割り当てとパワー割り当て、及びパイロットサブキャリアの位置を取得し、各サブキャリアに対して構成を行い、伝送待ちデータ又はトレーニングシーケンスをそれ相応のサブキャリアにマッピングし；
ステップ1003：前記送信機が、あるデータサブキャリアに対してのパイロットに基づく信号対ノイズ比測定の要求を受信した場合、前記データサブキャリアとパイロットサブキャリアのパワー割り当て及びビット割り当てに対して交換を行い、前記データサブキャリアのデータマッピング関係を前記パイロットサブキャリアに調整し、前記パイロットサブキャリアのトレーニングシーケンスのマッピング関係を前記データサブキャリアに調整し、また、受信端の受信機と同期化する。
【００４９】
ステップ1001では、伝送初期化段階でDMT送信機101が各サブキャリア上でトレーニングシーケンスを送信することにより、DMT受信機102は、各サブキャリアに対してパイロットに基づく信号対ノイズ比測定を行うことで、各サブキャリアの正確な信号対ノイズ比を得ることができる。
【００５０】
ステップ1002では、DMT送信機101は、前述のリンク制御チャネル105によりDMT受信機102から、各サブキャリアのビット割り当てとパワー割り当て及びパイロットサブキャリアの位置を得ることができ、また、これらの情報に基づいて、DMT送信機101は、各サブキャリアに対して構成を行い、伝送データ又はトレーニングシーケンスをそれ相応のサブキャリアにマッピングし、伝送プロセスを開始することができる。
【００５１】
ステップ1003では、伝送中、一旦DMT送信機101が前述のリンク制御チャネル105により、あるデータサブキャリアに対してのパイロットに基づく信号対ノイズ比測定の要求を受信すると（前述のステップ806に対応する）、該データサブキャリアとパイロットサブキャリアのパワー割り当て及びビット割り当てに対して交換を行い、該データサブキャリアのデータマッピング関係を該パイロットサブキャリアに調整し、該パイロットサブキャリアのトレーニングシーケンスのマッピング関係を該データサブキャリアに調整し、また、該受信端の受信機と同期化を行う。
【００５２】
一実施例として、該プロセスは、送信端DMT制御器103中で完成することができる。例えば、該送信端DMT制御器103のDMT機能制御モジュール201により、まず該データサブキャリア上のビット割り当てとパワー割り当てと、パイロットサブキャリアのパワー割り当てとビット割り当てを交換し、その後、該データサブキャリアのデータマッピング関係をパイロットサブキャリアに調整し、パイロットサブキャリアに対応するトレーニングシーケンスのマッピング関係を該データサブキャリアに調整することで、両者の交換を実現し、これにより、測定プロセス中で伝送サービスの連続性を保証することができる。また、DMT送信機101及びDMT受信機102は、さらに、前述のリンク制御チャネル105により、上述の操作に対して同期化を行うこともできる。同期化の１つの簡単な実施例は、該DMT送信機101及び該DMT接送機102は、交換発生の時刻を約束する。該時刻において、該DMT送信機101は、実際の交換操作を行い、これにより、DMT受信機102が該時刻直後に受信したのは、データサブキャリアとパイロットサブキャリアの交換後の信号である。これにより、DMT受信機102は、原データサブキャリア上でパイロットに基づく信号対ノイズ比測定を行うことで、測定の正確性を保証することができる（前述のステップ808に対応する）。
【００５３】
ステップ1003では、該DMT送信機101が前述のリンク制御チャネル105により該データサブキャリアに対しての測定完了の通知メッセージを受信した場合、それは、該データサブキャリアとパイロットサブキャリアのパワー割り当て及びビット割り当てを復元し、該データサブキャリアのデータマッピング関係を該データサブキャリアに復元し、該パイロットサブキャリアのトレーニングシーケンスのマッピング関係を該パイロットサブキャリアに復元し、また、該受信端の受信機と同期化する。該ステップでは、DMT送信機101がDMT受信機102からの測定完了の指示を待ち、該指示を受信した後、該DMT送信機101は、前述の交換操作と逆の操作を行い、また、DMT受信機102と同期化し、これにより、パイロットリソースのリリースを完成することができる。同様に、該プロセスは、送信端DMT制御器103中で完成することもできるが、ここではその詳しい説明を省略する。
【００５４】
図11は、DMT光伝送システムの送信端で実施されるオンライン信号品質モニタリングのフローチャートである。該プロセスにより、本実施例における方法の実施プロセスがより明らかになるが、該フローチャートは、本発明を限定しない。図11に示すように、該プロセスは、次のようなステップを含む。
【００５５】
ステップ1100：DMT送信機が各サブキャリア上でトレーニングシーケンスを送信し；
ステップ1101：DMT受信機から各サブキャリアのビット割り当てとパワー割り当てを取得し、ビット割り当て及びSNRパイロット上のトレーニングシーケンスに基づいてデータを送信し；
ステップ1102：DMT受信機からの、ある特定サブキャリアについて、パイロットに基づくSNRモニタリングモードに進入する通知を受信したかを判断し、はいの場合、ステップ1103を実行し、いいえの場合、ステップ1101に戻り；
ステップ1103：前記特定サブキャリアのデータをパイロットサブキャリアの位置に切り替え、該特定サブキャリア上でトレーニングシーケンスを送信し；
ステップ1104：受信機と同期化し；
ステップ1105：DMT受信機からの、上述の特定サブキャリアについて、パイロットに基づくSNRモニタリングモードから退出する通知を受信したかを判断し、はいの場合、ステップ1106を実行し、いいえの場合、ステップ1101に戻り；
ステップ1106：データを該特定サブキャリアに切り替え、パイロットサブキャリア上でトレーニングシーケンスを送信し；
ステップ1107：受信機と同期化する。
【００５６】
本実施例における方法により、時間上で連続したオンライン信号品質モニタリングを提供することができるとともに、モニタリング結果の正確性を保証することもでき、これにより、できるだけ少ないパイロットリソースを用いてリアルタイムのオンライン信号品質モニタリングを実現することができる。
【実施例３】
【００５７】
本実施例は、オンライン信号品質モニタリング装置を提供し、それは、DMTに基づくマルチキャリア光通信システムの受信端、例えば、図1に示すDMT受信機102及び受信端DMT制御器104に構成される。該装置が問題を解決する原理は、実施例1の方法と同様であるため、その具体の実施は、実施例1の方法の実施を参照することができ、内容が同じ重複説明は、省略される。
【００５８】
図12は、該装置を示す図である。図12に示すように、該装置1200は、第一設定ユニット1201、確定ユニット1202、第二設定ユニット1203及び処理ユニット1204を含む。
【００５９】
該第一設定ユニット1201は、伝送初期化段階で得られた各サブキャリアの信号対ノイズ比に基づいて、信号対ノイズ比が最大であるサブキャリアをパイロットサブキャリアと設定し、他のサブキャリアをデータサブキャリアと設定し；該確定ユニット1202は、前記パイロットサブキャリアのビット割り当てとパワー割り当て、及び各データサブキャリアのビット割り当てとパワー割り当てを確定し；該第二設定ユニット1203は、各データサブキャリアのビット割り当てに基づいて、各データサブキャリアのために、データ判定に基づく信号対ノイズ比測定の閾値を設定し；該処理ユニット1204は、伝送段階でデータ判定に基づく信号対ノイズ比測定により得られた各データサブキャリアの信号対ノイズ比と、各データサブキャリアの信号対ノイズ比測定の閾値とを比較し、あるデータサブキャリアの信号対ノイズ比がその信号対ノイズ比測定の閾値よりも小さい時に、前記データサブキャリアに対してのパイロットに基づく信号対ノイズ比測定を起動する。
【００６０】
本実施例では、該第一設定ユニット1201は、前述のDMTリンクモニタリングモジュール202により実現されても良く、該確定ユニット1202、該第二設定ユニット1203、及び該処理ユニット1204は、前述のDMT機能制御モジュール201により実現されても良い。
【００６１】
図13は、確定ユニット1202の一実施方式を示す図である。図13に示すように、該確定ユニット1202は、第一確定モジュール1301及び計算モジュール1302を含み、該第一確定モジュール1301は、システムのプリセット（presetting）に基づいて、前記パイロットサブキャリアのビット割り当てとパワー割り当てを確定し、該計算モジュール1302は、各データサブキャリアの信号対ノイズ比に基づいて、各データサブキャリアのために、それ相応のビット割り当てとパワー割り当てを計算する。なお、具体的な計算方法について、本実施例は限定しない。
【００６２】
図14は、第二設定ユニット1203の一実施方式を示す図である。図14に示すように、該第二設定ユニット1203は、第二確定モジュール1401、設定モジュール1402、及び第三確定モジュール1403を含む。
【００６３】
該第二確定モジュール1401は、シミュレーションにより、異なるデータ変調ビットの、システムモデルノイズ下で測定により得られた信号対ノイズ比と、実際の信号対ノイズ比との間の関係を取得し；該設定モジュール1402は、各データ変調ビット上で実際値との差が所定量である測定値を、前記データ変調ビットに対応するデータ判定に基づく信号対ノイズ比測定の閾値と設定し；該第三確定モジュール1403は、各データサブキャリアのビット割り当てに基づいて、各データサブキャリアのデータ判定に基づく信号対ノイズ比測定の閾値を確定する。該実施方式では、上述の測得された信号対ノイズ比は、実際の信号対ノイズ比に基づいてデータ変調星座上でノイズ特性に符合するノイズを加え、ノイズ付きデータに対してデータ判定に基づく信号対ノイズ比測定を行うことにより得られた測定値である。
【００６４】
図14の実施方式は、例示に過ぎず、他の実施方式では、図14をもとに、該装置100の外部で各データサブキャリアのデータ判定に基づく信号対ノイズ比測定の閾値を設定し、そして、該第二設定ユニット1203に提供しても良い。
【００６５】
図15は、処理ユニット1204の一実施方式を示す図である。図15に示すように、該処理ユニット1204は、送信モジュール1501、同期化モジュール1502、及び受信モジュール1503を含む。
【００６６】
該送信モジュール1501は、送信端の送信機に、前記データサブキャリアに対してのパイロットに基づく信号対ノイズ比測定の要求を送信し；該同期化モジュール1502は、該送信機と同期化を行い；該受信モジュール1503は、前記パイロットサブキャリア上でデータを受信し、前記データサブキャリア上でトレーニングシーケンスを受信し、前記トレーニングシーケンスに基づいて前記データサブキャリアの信号対ノイズ比を測定し；該送信モジュール1501は、前記受信モジュール1503の測定後に、該送信機に通知メッセージを通知して、該送信機に、該データサブキャリアに対してのパイロットに基づく信号対ノイズ比測定から退出するように通知することができる。
【００６７】
本実施方式では、該処理ユニット1204の上述処理は、受信端DMT制御器104の制御下で、DMT受信機102により完成することができ、具体的には、実施例1と同様であるため、ここでは詳しい説明を省略する。
【００６８】
本実施例における装置により、時間上で連続したオンライン信号品質モニタリングを提供することができると同時に、モニタリング結果の正確性を保証することもでき、これにより、できるだけ少ないパイロットリソースを用いてリアルタイムのオンライン信号品質モニタリングを実現することができる。
【実施例４】
【００６９】
本実施例は、制御器を提供する。図16は、該制御器を示す図である。図16に示すように、該制御器1600は、実施例3に記載のオンライン信号品質モニタリング装置1200を含む。実施例3で既に該オンライン信号品質モニタリング装置1200について詳細に説明しているため、その内容はここに合併され、ここでの記載は省略される。
【００７０】
本実施例では、該制御器1600は、DMTに基づくマルチキャリア光通信システムの受信端に構成されても良く、例えば、DMT受信機102の中に構成されても良く、DMT受信機102の外に構成されてもよい。
【００７１】
本実施例における制御器により、時間上で連続したオンライン信号品質モニタリングを提供することができるだけでなく、モニタリング結果の正確性を保証することもでき、これにより、できるだけ少ないパイロットリソースを用いてリアルタイムのオンライン信号品質モニタリングを実現することができる。
【実施例５】
【００７２】
本実施例は、オンライン信号品質モニタリング装置を提供し、それは、DMTに基づくマルチキャリア光通信システムの送信端、例えば、図1に示すDMT送信機101及び送信端DMT制御器103に構成される。該装置が問題を解決する原理は、実施例2の方法と同様であるので、その具体的な実施は、実施例2の方法の実施を参照することができ、内容が同じ重複説明は省略される。
【００７３】
図17は、該装置を示す図である。図17に示すように、該装置1700は、制御ユニット1701、構成ユニット1702、及び第一処理ユニット1703を含む。
【００７４】
該制御ユニット1701は、伝送初期化段階で送信機が各サブキャリア上でトレーニングシーケンスを送信するように制御し；該構成ユニット1702は、各サブキャリアのビット割り当てとパワー割り当て、及びパイロットサブキャリアの位置を取得し、各サブキャリアに対して構成を行い、送信機が伝送待ちデータ又はトレーニングシーケンスをそれ相応のサブキャリアにマッピングするように制御し；該第一処理ユニット1703は、前記送信機受信が、あるデータサブキャリアに対してのパイロットに基づく信号対ノイズ比測定の要求を受信した場合、送信機が前記データサブキャリアとパイロットサブキャリアのパワー割り当て及びビット割り当てを交換し、前記データサブキャリアのデータマッピング関係を前記パイロットサブキャリアに調整し、前記パイロットサブキャリアのトレーニングシーケンスのマッピング関係を前記データサブキャリアに調整し、また、受信端の受信機と同期化を行うように制御する。
【００７５】
本実施例では、図17に示すように、該装置1700は、さらに第二処理ユニット1704を含み、それは、前記送信機が、前記データサブキャリアに対しての測定完了の通知メッセージを受信した後に、該送信機が前記データサブキャリアとパイロットサブキャリアのパワー割り当て及びビット割り当てを復元し、前記データサブキャリアのデータマッピング関係を前記データサブキャリアに復元し、前記パイロットサブキャリアのトレーニングシーケンスのマッピング関係を前記パイロットサブキャリアに復元し、また、受信端の受信機と同期化を行うように制御する。
【００７６】
本実施例では、受信機との同期化とは、該受信機と交換時刻を約束し、また、該交換時刻において上述の交換操作を行うことを指す。
【００７７】
本実施例における装置により、時間上で連続したオンライン信号品質モニタリングを提供することができるのみならず、モニタリング結果の正確性を保証することもでき、これにより、できるだけ少ないパイロットリソースを用いてリアルタイムのオンライン信号品質モニタリングを実現することができる。
【実施例６】
【００７８】
本実施例は、制御器を提供する。図18は、該制御器を示す図である。図18に示すように、該制御器1800は、実施例5に記載のオンライン信号品質モニタリング装置1700を含む。実施例5で既に該オンライン信号品質モニタリング装置1700について詳細に説明しているため、その内容はここに合併され、ここでの記載は省略される。
【００７９】
本実施例では、該制御器1800は、DMTに基づくマルチキャリア光通信システムの送信端に構成されても良く、例えば、DMT送信機101の中に構成されても良く、DMT送信機101の外に構成されても良い。
【００８０】
本実施例における制御器により、時間上で連続したオンライン信号品質モニタリングを提供することができ、また、モニタリング結果の正確性を保証することもでき、これにより、できるだけ少ないパイロットリソースによりリアルタイムのオンライン信号品質モニタリングを実現することができる。
【実施例７】
【００８１】
本発明の実施例は、さらに、DMTに基づくマルチキャリア光通信システムを提供する。図1は、該システムの構造を示す図である。図1に示すように、該システム100は、DMT送信機101、DMT受信機102、送信端DMT制御器103、受信端DMT制御器104、及びリンク制御チャネル105を含む。
【００８２】
本実施例では、該送信端DMT制御器103は、実施例6の制御器1400により実現されても良く、該受信端DMT制御器104は、実施例4の制御器1200により実現されてもよい。実施例4及び実施例6で既に各制御器について詳細に説明したため、その内容はここに合併され、ここでの記載は省略される。
【００８３】
本実施例では、送信端DMT制御器103及び受信端DMT制御器104がそれぞれDMT送信機101及びDMT受信機102と独立して構成されるケースを例としているが、具体的な実施に当たっては、該送信端DMT制御器103及び該受信端DMT制御器104は、それぞれ、DMT送信機101及びDMT受信機102の中に構成されても良い。
【００８４】
本実施例におけるシステムにより、時間上で連続したオンライン信号品質モニタリングを提供することができるとともに、モニタリング結果の正確性を保証することもでき、これにより、できるだけ少ないパイロットリソースを用いてリアルタイムのオンライン信号品質モニタリングを実現することができる。
【００８５】
本発明の実施例は、さらに、コンピュータ可読プログラムを提供し、そのうち、受信端制御器中で前記プログラムを実行する時に、前記プログラムは、前記受信端制御器に、実施例1に記載の方法を実行させる。
【００８６】
本発明の実施例は、さらに、コンピュータ可読プログラムを記憶した記憶媒体を提供し、そのうち、前記コンピュータ可読プログラムは、受信端制御器に、実施例1に記載の方法を実行させる。
【００８７】
本発明の実施例は、さらに、コンピュータ可読プログラムを提供し、そのうち、送信端制御器中で前記プログラムを実行する時に、前記プログラムは、前記送信端制御器に、実施例2に記載の方法を実行させる。
【００８８】
本発明の実施例は、さらに、コンピュータ可読プログラムを記憶した記憶媒体を提供し、そのうち、前記コンピュータ可読プログラムは、送信端制御器に、実施例2に記載の方法を実行させる。
【００８９】
また、本発明の実施例による装置及び方法は、ソフトウェアにより実現されても良く、ハードェアにより実現されてもよく、ハードェア及びソフトウェアの組み合わせにより実現されても良い。また、本発明は、このようなコンピュータ可読プログラムにも関し、即ち、前記プログラムは、ロジック部品により実行される時に、前記ロジック部品に、上述の装置又は構成要素を実現させることができ、又は、前記ロジック部品に、上述の方法又はそのステップを実現させることができる。さらに、本発明は、上述のプログラムを記憶するための記憶媒体、例えば、ハードディスク、磁気ディスク、光ディスク、DVD、flashメモリなどにも関する。
【００９０】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
0006798386.tif 000006
【図２】
0006798386.tif 000007
【図３】
0006798386.tif 000008
【図４】
0006798386.tif 000009
【図５】
0006798386.tif 000010
【図６】
0006798386.tif 000011
【図７】
0006798386.tif 000012
【図８】
0006798386.tif 000013
【図９】
0006798386.tif 000014
【図１０】
0006798386.tif 000015
【図１１】
0006798386.tif 000016
【図１２】
0006798386.tif 000017
【図１３】
0006798386.tif 000018
【図１４】
0006798386.tif 000019
【図１５】
0006798386.tif 000020
【図１６】
0006798386.tif 000021
【図１７】
0006798386.tif 000022
【図１８】
0006798386.tif 000023